(57)【要約】【課題】表示画像のコントラストの低下を抑制しながら、視線方向の変化による知覚輝度と知覚色の変化を高精度に抑制することができる技術を提供する。【解決手段】本発明の表示装置は、発光部と、画像データに応じた透過率で前記発光部からの光を透過することにより、画面に画像を表示する表示パネルと、前記画面に対するユーザの視線方向を検出する検出手段と、前記検出手段で検出された視線方向である検出方向に基づいて、前記発光部の発光色と発光輝度を制御する制御手段と、を有し、前記表示パネルは、ユーザの視線方向の変化によって、ユーザに知覚される輝度である知覚輝度と、ユーザに知覚される色である知覚色と、が変化する特性を有しており、前記制御手段は、前記視線方向の変化による知覚輝度と知覚色の変化が抑制されるように、前記発光部の発光色と発光輝度を制御する。【選択図】図１
2016130804.tif 000002
【特許請求の範囲】
【請求項１】
発光部と、
画像データに応じた透過率で前記発光部からの光を透過することにより、画面に画像を表示する表示パネルと、
前記画面に対するユーザの視線方向を検出する検出手段と、
前記検出手段で検出された視線方向である検出方向に基づいて、前記発光部の発光色と発光輝度を制御する制御手段と、
を有し、
前記表示パネルは、ユーザの視線方向の変化によって、ユーザに知覚される輝度である知覚輝度と、ユーザに知覚される色である知覚色と、が変化する特性を有しており、
前記制御手段は、前記視線方向の変化による知覚輝度と知覚色の変化が抑制されるように、前記発光部の発光色と発光輝度を制御する
ことを特徴とする表示装置。
【請求項２】
画面の領域を構成する複数の分割領域に対応する複数の発光部と、
前記発光部から周囲の分割領域への光の拡散を表す拡散情報を記憶する第１記憶手段と、
を有し、
前記制御手段は、前記視線方向の変化による知覚輝度と知覚色の変化が抑制され、且つ、前記発光部から周囲の分割領域への光の漏れによる知覚輝度の変化が抑制されるように、前記検出方向と前記拡散情報とに基づいて、各発光部の発光輝度と発光色を制御する
ことを特徴とする請求項１に記載の表示装置。
【請求項３】
各発光部は、発光色が互いに異なる複数の光源を有し、
前記制御手段は、
前記検出方向に基づいて、前記視線方向の変化による知覚輝度の変化が抑制されるように、各光源の発光輝度を仮決定する仮決定処理と、
前記拡散情報に基づいて、前記発光部から周囲の分割領域への光の漏れによる知覚輝度の変化が抑制されるように、各光源の仮決定された発光輝度を補正する第１補正処理と、
前記検出方向に基づいて、前記視線方向の変化による知覚色の変化が抑制されるように、各光源の前記第１補正処理後の発光輝度を補正する第２補正処理と、
を行う
ことを特徴とする請求項２に記載の表示装置。
【請求項４】
前記仮決定処理では、前記検出方向から第１所定画像を見たときの知覚輝度が、基準輝度で各光源を発光させた状態で正面方向から前記第１所定画像を見たときの知覚輝度に近づくように、各光源の発光輝度が仮決定される
ことを特徴とする請求項３に記載の表示装置。
【請求項５】
前記仮決定処理では、前記検出方向に基づく第１比率を基準輝度に乗算した値が、各光源の発光輝度として仮決定され、
前記基準輝度で各光源を発光させた状態に関して、前記正面方向から前記第１所定画像を見たときの知覚輝度をＢ１、前記検出方向から前記第１所定画像を見たときの知覚輝度をＢ２、とした場合に、
前記第１比率は、Ｂ１÷Ｂ２である
ことを特徴とする請求項４に記載の表示装置。
【請求項６】
前記第２補正処理では、前記光源毎に、その光源の発光色について、前記検出方向から
前記第１所定画像を見たときの知覚輝度が、基準輝度で各光源を発光させた状態で前記正面方向から前記第１所定画像を見たときの知覚輝度に近づくように、当該光源の前記第１補正処理後の発光輝度が補正される
ことを特徴とする請求項４または５に記載の表示装置。
【請求項７】
前記第２補正処理では、前記光源毎に、前記検出方向に基づく第２比率を前記第１補正処理後の発光輝度に乗算することにより、前記第１補正処理後の発光輝度が補正され、
前記基準輝度で各光源を発光させた状態に関して、前記正面方向から前記第１所定画像を見たときの知覚輝度をＢ１、前記検出方向から前記第１所定画像を見たときの知覚輝度をＢ２、とし、
前記第２補正処理の対象の光源である対象光源の発光色を有する光を発する各光源を前記基準輝度で発光させた状態に関して、前記正面方向から前記第１所定画像を見たときの知覚輝度をＢ３、前記検出方向から前記第１所定画像を見たときの知覚輝度をＢ４、とした場合に、
前記対象光源の前記第１補正処理後の発光輝度に乗算する第２比率は、（Ｂ３÷Ｂ１）÷（Ｂ４÷Ｂ２）である
ことを特徴とする請求項６に記載の表示装置。
【請求項８】
前記第１所定画像は、画像データの取り得る値の最小値または最大値の画像である
ことを特徴とする請求項４〜７のいずれか１項に記載の表示装置。
【請求項９】
前記検出手段は、前記分割領域毎に、その分割領域に対するユーザの視線方向を検出し、
前記制御手段は、前記分割領域毎に、その分割領域に対して検出された視線方向を用いて、前記仮決定処理、前記第１補正処理、及び、前記第２補正処理を行う
ことを特徴とする請求項４〜８のいずれか１項に記載の表示装置。
【請求項１０】
前記第１補正処理では、前記拡散情報と前記検出方向とに基づいて、前記光の漏れによる知覚輝度の変化、及び、前記光の漏れと前記視線方向の変化との両方に起因した知覚色の変化、が抑制されるように、各光源の前記仮決定された発光輝度が補正される
ことを特徴とする請求項４〜９のいずれか１項に記載の表示装置。
【請求項１１】
前記第１補正処理では、
前記光源と前記分割領域の組み合わせ毎に、その組み合わせの光源から発せられた光の当該組み合わせの分割領域での明るさに、前記検出方向に基づく第３比率を乗算した補正明るさであり、且つ、当該組み合わせの光源を前記仮決定された発光輝度で発光させたときの補正明るさである、第１補正明るさを算出する第１処理と、
前記分割領域毎に、各光源のその分割領域での前記補正明るさの合計値であり、且つ、前記補正明るさとして前記第１補正明るさを用いて得られる合計値である、第１合計値を算出する第２処理と、
前記第１合計値と、前記組み合わせの光源を基準輝度で発光させたときの前記補正明るさである第２補正明るさを用いて得られる前記合計値である第２合計値と、の比率が、前記基準輝度で各光源を発光させた状態で前記正面方向から前記第１所定画像を見たときの知覚輝度である第１輝度と、前記基準輝度で各光源を発光させた状態で前記検出方向から前記第１所定画像を見たときの知覚輝度である第２輝度と、の比率に近づくように、各光源の前記仮決定された発光輝度を補正する第３処理と、
が繰り返され、
前記組み合わせの光源の発光色を有する光を発する各光源を基準輝度で発光させた状態で前記検出方向から第２所定画像を見たときの知覚輝度をＢ５、前記基準輝度で各光源を発光させた状態で前記検出方向から前記第２所定画像を見たときの知覚輝度をＢ６、とし
た場合に、
前記第３比率は、Ｂ５÷Ｂ６である
ことを特徴とする請求項１０に記載の表示装置。
【請求項１２】
前記第２所定画像は、画像データの取り得る値の最大値の画像である
ことを特徴とする請求項１１に記載の表示装置。
【請求項１３】
前記第１所定画像は、画像データの取り得る値の最小値の画像であり、
前記第１合計値をＴ１、前記第２合計値をＴ２、前記第１輝度をＢ１、前記第２輝度をＢ２とした場合に、
前記第３処理では、前記分割領域毎に（Ｂ１÷Ｂ２）÷（Ｔ１÷Ｔ２）の値Ｊが閾値以上か否かが判定され、値Ｊが閾値より小さいと判定された分割領域に対応する各光源の前記仮決定された発光輝度に値Ｊが乗算され、
前記第１補正処理では、各分割領域の値Ｊが前記閾値以上になるまで、前記第１処理、前記第２処理、及び、前記第３処理が繰り返される
ことを特徴とする請求項１１または１２に記載の表示装置。
【請求項１４】
前記第１所定画像は、画像データの取り得る値の最大値の画像であり、
前記第１合計値をＴ１、前記第２合計値をＴ２、前記第１輝度をＢ１、前記第２輝度をＢ２とした場合に、
前記第３処理では、前記分割領域毎に（Ｂ１÷Ｂ２）÷（Ｔ１÷Ｔ２）の値Ｊが閾値以下か否かが判定され、値Ｊが閾値より大きいと判定された分割領域に対応する各光源の前記仮決定された発光輝度に値Ｊが乗算され、
前記第１補正処理では、各分割領域の値Ｊが前記閾値以下になるまで、前記第１処理、前記第２処理、及び、前記第３処理が繰り返される
ことを特徴とする請求項１１または１２に記載の表示装置。
【請求項１５】
前記分割領域毎に、入力画像データに基づいて、その分割領域が、暗部画像が表示される暗部領域であるか、明部画像が表示される明部領域であるか、を判定する判定手段、を有し、
前記制御手段は、前記分割領域毎に、その分割領域が前記暗部領域であると判定された場合には、前記第１所定画像として第３所定画像を用いて、前記仮決定処理、前記第１補正処理、及び、前記第２補正処理を行い、当該分割領域が前記明部領域であると判定された場合には、前記第１所定画像として第４所定画像を用いて、前記仮決定処理、前記第１補正処理、及び、前記第２補正処理を行う
ことを特徴とする請求項４〜１２のいずれか１項に記載の表示装置。
【請求項１６】
前記第３所定画像は、画像データの取り得る値の最小値の画像であり、
前記第４所定画像は、画像データの取り得る値の最大値の画像である
ことを特徴とする請求項１５に記載の表示装置。
【請求項１７】
前記検出方向と、前記制御手段で決定された各光源の発光輝度と、に基づいて、入力画像データから表示用画像データを生成し、前記表示用画像データを前記表示パネルに出力する生成手段をさらに有し、
前記生成手段は、前記視線方向の変化による知覚輝度と知覚色の変化がさらに抑制されるように前記入力画像データを補正することにより、前記表示用画像データを生成する
ことを特徴とする請求項３〜１６のいずれか１項に記載の表示装置。
【請求項１８】
前記視線方向毎に、画像データの値と、基準輝度で各光源を発光させた状態での知覚輝度及び知覚色と、の対応関係を表す特性情報を記憶する第２記憶手段をさらに有し、
前記特性情報から、前記検出方向に対応する前記対応関係が判断される
ことを特徴とする請求項１〜１７のいずれか１項に記載の表示装置。
【請求項１９】
前記検出手段は、センサを用いてユーザの位置を検出し、検出されたユーザの位置から前記画面へ向かう方向を前記検出方向として算出する
ことを特徴とする請求項１〜１８のいずれか１項に記載の表示装置。
【請求項２０】
発光部と、
画像データに応じた透過率で前記発光部からの光を透過することにより、画面に画像を表示する表示パネルと、
を有する表示装置の制御方法であって、
前記画面に対するユーザの視線方向を検出する検出ステップと、
前記検出ステップで検出された視線方向である検出方向に基づいて、前記発光部の発光色と発光輝度を制御する制御ステップと、
を有し、
前記表示パネルは、ユーザの視線方向の変化によって、ユーザに知覚される輝度である知覚輝度と、ユーザに知覚される色である知覚色と、が変化する特性を有しており、
前記制御ステップでは、前記視線方向の変化による知覚輝度と知覚色の変化が抑制されるように、前記発光部の発光色と発光輝度を制御する
ことを特徴とする表示装置の制御方法。
【請求項２１】
請求項２０に記載の表示装置の制御方法の各ステップをコンピュータに実行させることを特徴とするプログラム。
【発明の詳細な説明】
【技術分野】
【０００１】
本発明は、表示装置及びその制御方法に関する。
【背景技術】
【０００２】
一般的に、液晶パネルは、対向する２枚のガラス基板の間に液晶を封入した構造を有する。この液晶は屈折率異方性（方向によって異なる屈折率を有する特性）を有するため、ガラス基板に挟まれた液晶を透過する光は複屈折効果を示す。そのため、液晶パネルは、ユーザの視線方向の変化によって、ユーザに知覚される輝度である知覚輝度や、ユーザに知覚される色である知覚色が変化する視野角特性を有する。
【０００３】
このような視野角特性に関する従来技術は、例えば、特許文献１，２に開示されている。
特許文献１に開示の技術では、入力画像データに対してガンマ変換処理を施す液晶表示装置において、視線方向に対応するガンマ特性が算出され、算出されたガンマ特性を用いて入力画像データにガンマ変換処理が施される。
特許文献２に開示の技術では、入力画像データの輝度ヒストグラム、及び、視線方向に対応する黒輝度と白輝度に基づいて、複数の発光部からなるバックライト（以下ＢＬ）の発光輝度（光量）が発光部単位で制御される。黒輝度は、画像データの取り得る値の最小値の画像を見たときの知覚輝度であり、白輝度は、画像データの取り得る値の最大値の画像を見たときの知覚輝度である。
【先行技術文献】
【特許文献】
【０００４】
【特許文献１】特開２００１−１４７６７３号公報
【特許文献２】特開２０１０−１１７５７９号公報
【発明の概要】
【発明が解決しようとする課題】
【０００５】
しかしながら、特許文献１に開示の技術では、表示画像（画面に表示された画像）のコントラストが低下することがある。
例えば、特許文献１に開示の技術では、入力画像データによって表された画像（入力画像）が暗い背景の領域と明るい物体の領域とを含む場合に、視線方向によっては、背景の領域の黒浮きと、物体の領域の輝度低下と、が発生する。
【０００６】
図１１（ａ），１１（ｂ）に、特許文献１に開示の技術を用いた場合の抑制処理（視線方向の変化による知覚輝度の変化を抑制する処理）の一例を示す。図１１（ａ）は、入力画像の一例を示す図である。図１１（ａ）の例では、入力画像は、暗い背景の領域と、明るい物体（風車）の領域（物体領域３０１１）と、を含む。物体領域３０１１は、画面の右部に表示される。ここで、ユーザが画面の中央よりも左側から画面を見た場合を考える。この場合、画像データの取り得る値と知覚輝度との対応関係は、例えば、図１１（ｂ）に示す対応関係となる。
【０００７】
図１１（ｂ）において、特性曲線３０２１は、視線方向の変化による知覚輝度の変化が生じていない場合の対応関係を示す。具体的には、特性曲線３０２１は、特許文献１に記載の技術を用いない場合の対応関係であって、物体領域３０１１を正面方向から見た場合の対応関係を示す。特性曲線３０２２は、視線方向の変化による知覚輝度の変化が生じている場合の対応関係を示す。具体的には、特性曲線３０２２は、特許文献１に記載の技術
を用いない場合の対応関係であって、物体領域３０１１を斜め方向から見た場合（物体領域３０１１を画面の中央よりも左側から見た場合）の対応関係を示す。特性曲線３０２３は、特許文献１に記載の技術を用いた場合の対応関係であって、物体領域３０１１を斜め方向から見た場合（物体領域３０１１を画面の中央よりも左側から見た場合）の対応関係を示す。
【０００８】
図１１（ｂ）から、特性曲線３０２２が特性曲線３０２１からずれていることがわかる。特許文献１に開示の技術では、使用するガンマ特性を切り替えることにより、特性曲線３０２２を特性曲線３０２１に近づける処理が行われる。その結果、特性曲線３０２２が特性曲線３０２３に補正される。
【０００９】
しかしながら、特性曲線３０２３から明らかなように、特許文献１に開示の技術を用いた場合には、低階調側（画像データの値が低い側）と高階調側（画像データの値が高い側）の両方において、階調性が低下する。具体的には、特性曲線３０２３では、画像信号の取り得る値の最大値に対応する知覚輝度が特性曲線３０２１よりも低い値となり、画像信号の取り得る値の最小値に対応する知覚輝度が特性曲線３０２１よりも高い値となる。その結果、知覚輝度のダイナミックレンジが狭まり、コントラストが低下する。
【００１０】
また、特許文献２に開示の技術では、知覚輝度の変化を高精度に抑制することができない。
図１２（ａ）〜１２（ｃ）に、特許文献２に開示の技術を用いた場合の抑制処理の一例を示す。図１２（ａ）は、入力画像の一例を示す図であり、図１１（ａ）と同じものである。ここで、ユーザが画面の中央よりも左側から画面を見た場合を考える。この場合、画像データの取り得る値と知覚輝度との対応関係は、例えば、図１２（ｂ）に示す対応関係となる。
【００１１】
図１２（ｂ）において、図１１（ｂ）と同じ特性曲線には同じ符号を付している。特性曲線３０２４は、特許文献２に記載の技術を用いた場合の対応関係であって、物体領域３０１１を斜め方向から見た場合（物体領域３０１１を画面の中央よりも左側から見た場合）の対応関係を示す。
【００１２】
図１２（ｂ）から、特性曲線３０２２が特性曲線３０２１からずれていることがわかる。具体的には、特性曲線３０２２では、高階調側の知覚輝度が特性曲線３０２１よりも低い。その結果、物体領域３０１１は明るい物体の領域（高階調側の値を有する画素が多く存在する領域）であるため、物体領域３０１１の知覚輝度の低下が目立つ。特許文献２に開示の技術では、図１２（ｃ）に示すように、物体領域３０１１が表示される分割領域３０３１に対応する発光部の発光輝度を高めることにより、上述した知覚輝度の低下を抑制する処理が行われる。その結果、特性曲線３０２２が特性曲線３０２４に補正される。
【００１３】
しかしながら、発光部からの光は、対応する分割領域の周囲へ漏れる。そのため、分割領域３０３１に対応する発光部の発光輝度を高めると、当該発光部から周囲の分割領域（例えば、分割領域３０３１に隣接する分割領域３０３２）への光の漏れが増し、周囲の分割領域の知覚輝度が増す。このように、特許文献２に開示の技術では、発光部からの光の漏れにより知覚輝度が変化するため、知覚輝度の変化を高精度に抑制することができない。
【００１４】
また、特許文献２に開示の技術では、発光部の発光輝度を変更することしか行われないため、視線方向の変化による知覚色の変化を抑制することはできない。
【００１５】
本発明は、表示画像のコントラストの低下を抑制しながら、視線方向の変化による知覚
輝度と知覚色の変化を高精度に抑制することができる技術を提供することを目的とする。
【課題を解決するための手段】
【００１６】
本発明の第１の態様は、
発光部と、
画像データに応じた透過率で前記発光部からの光を透過することにより、画面に画像を表示する表示パネルと、
前記画面に対するユーザの視線方向を検出する検出手段と、
前記検出手段で検出された視線方向である検出方向に基づいて、前記発光部の発光色と発光輝度を制御する制御手段と、
を有し、
前記表示パネルは、ユーザの視線方向の変化によって、ユーザに知覚される輝度である知覚輝度と、ユーザに知覚される色である知覚色と、が変化する特性を有しており、
前記制御手段は、前記視線方向の変化による知覚輝度と知覚色の変化が抑制されるように、前記発光部の発光色と発光輝度を制御する
ことを特徴とする表示装置である。
【００１７】
本発明の第２の態様は、
発光部と、
画像データに応じた透過率で前記発光部からの光を透過することにより、画面に画像を表示する表示パネルと、
を有する表示装置の制御方法であって、
前記画面に対するユーザの視線方向を検出する検出ステップと、
前記検出ステップで検出された視線方向である検出方向に基づいて、前記発光部の発光色と発光輝度を制御する制御ステップと、
を有し、
前記表示パネルは、ユーザの視線方向の変化によって、ユーザに知覚される輝度である知覚輝度と、ユーザに知覚される色である知覚色と、が変化する特性を有しており、
前記制御ステップでは、前記視線方向の変化による知覚輝度と知覚色の変化が抑制されるように、前記発光部の発光色と発光輝度を制御する
ことを特徴とする表示装置の制御方法である。
【００１８】
本発明の第３の態様は、上述した表示装置の制御方法の各ステップをコンピュータに実行させることを特徴とするプログラムである。
【発明の効果】
【００１９】
本発明によれば、表示画像のコントラストの低下を抑制しながら、視線方向の変化による知覚輝度と知覚色の変化を高精度に抑制することができる。
【図面の簡単な説明】
【００２０】
【図１】本実施形態に係る表示装置の構成の一例を示すブロック図
【図２】本実施形態に係る視線方向検出部の処理の一例を示す図
【図３】本実施形態に係る特性情報の一例を示す図
【図４】本実施形態に係る拡散情報の一例を示す図
【図５】本実施形態に係る分割領域判定処理の一例を示すフローチャート
【図６】本実施形態に係る仮決定処理の一例を示すフローチャート
【図７】本実施形態に係る第１及び第２補正処理の一例を示すフローチャート
【図８】本実施形態に係る補正パラメータ決定処理の一例を示すフローチャート
【図９】図８のＳ１７０２の処理の一例を示す図
【図１０】図８のＳ１７０３の処理の一例を示す図
【図１１】従来の抑制処理の一例を示す図
【図１２】従来の抑制処理の一例を示す図
【発明を実施するための形態】
【００２１】
本発明の実施形態に係る表示装置及びその制御方法について説明する。なお、本実施形態では、表示装置が液晶表示装置である場合の例を説明するが、本実施形態に係る表示装置は液晶表示装置に限らない。本実施形態に係る表示装置は、発光部と、画像データに応じた透過率で発光部からの光を透過することにより画面に画像を表示する表示パネルと、を有する装置であれば、どのような装置であってもよい。例えば、本実施形態に係る表示装置は、液晶素子の代わりにＭＥＭＳ（Ｍｉｃｒｏ  Ｅｌｅｃｔｒｏ  Ｍｅｃｈａｎｉｃａｌ  Ｓｙｓｔｅｍ）シャッターを用いたＭＥＭＳシャッター方式ディスプレイ装置であってもよい。
【００２２】
図１は、本実施形態に係る表示装置の構成の一例を示すブロック図である。図１に示すように、本実施形態に係る表示装置は、視線方向検出部１０１、知覚特性判断部１０２、拡散情報記憶部１０３、ＢＬ制御値決定部１０４、補正パラメータ決定部１０５、画像処理部１０６、ＢＬ制御部１０７、バックライト１０８、液晶パネル１０９、等を有する。
【００２３】
本実施形態に係る表示装置の動作について説明する。
（ＳＴＥＰ１）
まず、視線方向検出部１０１が、画面に対するユーザの視線方向を検出する。本実施形態では、バックライト１０８が、画面の領域を構成する複数の分割領域に対応する複数の発光部から構成されており、分割領域毎に、その分割領域に対するユーザの視線方向が検出される。具体的には、ＣＣＤカメラ等のセンサを用いてユーザの位置が検出され、検出されたユーザの位置から画面（分割領域の位置）へ向かう方向が、ユーザの視線方向として算出される。そして、分割領域毎に、ユーザの視線方向を表す角度が算出される。
なお、視線方向の検出方法は上述した方法に限らない。視線方向の検出方法としては様々な公知技術を用いることが可能である。
【００２４】
図２（ａ）〜２（ｃ）は、視線方向検出部１０１の処理の一例を示す図である。図２（ａ）は、表示装置の上側からユーザと表示装置を見下ろした場合のユーザと表示装置の位置関係を示す上面図である。図２（ｂ）は、表示装置の正面からユーザと表示装置を正視した場合のユーザと表示装置の位置関係を示す正面図である。図２（ｃ）は、表示装置の右側からユーザと表示装置を見た場合のユーザと表示装置の位置関係を示す横面図である。図２（ａ）〜２（ｃ）において、符号１１００はユーザを示し、符号１１０１は画面を示し、符号１１０２は分割領域を示す。以下、一例として、分割領域１１０２に関する処理について説明する。
【００２５】
視線方向検出部１０１では、図２（ａ）〜２（ｃ）の破線１１０５で示す方向（ユーザ１１００の眼の位置と分割領域１１０２の中心位置を通る方向）が、分割領域１１０２に対するユーザ１１００の視線方向として算出される。
そして、図２（ａ）〜２（ｃ）に示す角度θｔ，θｖが、視線方向１１０５を表す角度として算出される。角度θｔは、画面１１０１の法線方向１１０６から視線方向１１０５までの角度（立体角）である。角度θｖは、画面１１０１の水平方向１１０７から、視線方向１１０５を画面１１０１に投影して得られる方向までの角度（平面角）である。
ユーザ１１００が分割領域１１０２の正面にいる場合、角度θｔは０°となる。そして、ユーザ１１００が分割領域１１０２の正面から遠ざかるにつれて角度θｔは増加する。
【００２６】
画面と平行な面において、分割領域１１０２がユーザ１１００の真右に位置する場合、及び、ユーザ１１００の位置と分割領域１１０２の位置が等しい場合には、角度θｖは０
°となる。画面と平行な面において、分割領域１１０２がユーザ１１００の真上に位置する場合には、角度θｖは９０°となり、分割領域１１０２がユーザ１１００の真左に位置する場合には、角度θｖは１８０°となる。そして、画面と平行な面において、分割領域１１０２がユーザ１１００の真下に位置する場合には、角度θｖは２７０°となる。
【００２７】
以上の処理が、各分割領域について行われる。本実施形態では、画面の領域が水平方向Ｎ個×垂直方向Ｍ個の分割領域からなるものとする。即ち、本実施形態では、画面の領域がＭ行×Ｎ列の分割領域からなるものとする。本実施形態では、ｍ行ｎ列目の分割領域に対応する角度θｔ，θｖを、角度θｔｍｎ，θｖｍｎと記載する。視線方向検出部１０１は、各分割領域の角度θｔ，θｖを知覚特性判断部１０２へ出力する。
【００２８】
なお、本実施形態では、ユーザの位置がユーザの眼の位置であり、分割領域の位置が分割領域の中心位置である場合の例を説明したが、ユーザや分割領域の位置はこれらに限らない。例えば、分割領域の隅の位置が分割領域の位置として用いられてもよい。
なお、本実施形態では、視線方向を表す角度として角度θｔ，θｖを算出する例を説明したが、これに限らない。例えば、視線方向を表す角度として角度θｔと角度θｖのいずれかが算出されてもよい。また、視線方向を表す角度として、角度θｔの垂直方向成分や水平方向成分が算出されてもよい。
【００２９】
（ＳＴＥＰ２）
次に、知覚特性判断部１０２が、検出された視線方向（検出方向）に対応する知覚特性を判断する。液晶パネル１０９は、ユーザの視線方向の変化によって、ユーザに知覚される輝度である知覚輝度と、ユーザに知覚される色である知覚色と、が変化する視野角特性を有する。知覚特性判断部１０２は、知覚特性として、入力画像データ（表示装置に入力された画像データ）の取り得る値と、基準輝度で各発光部を発光させた状態での知覚輝度及び知覚色と、の対応関係を判断する。具体的には、知覚特性判断部１０２には、視線方向毎（角度θｔと角度θｖの組み合わせ毎）に、上記知覚特性を表す特性情報が予め記憶されている（第２記憶部）。知覚特性判断部１０２は、分割領域毎に、その分割領域の角度θｔ，θｖに対応する特性情報を選択し、出力する。
【００３０】
本実施形態では、特性情報は、知覚輝度と知覚色の両方を表す情報として、赤色についての知覚輝度（Ｒ知覚輝度）、緑色についての知覚輝度（Ｇ知覚輝度）、及び、青色についての知覚輝度（Ｂ知覚輝度）、を示す。図３に、θｔ＝２０°且つθｖ＝５°に対応する特性情報の一例を示す。図３に示すように、特性情報（テーブル）は、入力画像データの取り得る値毎に、Ｒ知覚輝度、Ｇ知覚輝度、及び、Ｂ知覚輝度を示す。図３では、入力画像データの取り得る値の最大値の画像を正面方向から見たときのＲ知覚輝度、Ｇ知覚輝度、及び、Ｂ知覚輝度の合計値が１００となるように、Ｒ知覚輝度、Ｇ知覚輝度、及び、Ｂ知覚輝度が定められている。
【００３１】
なお、特性情報は、上記情報に限らない。例えば、特性情報では、知覚輝度に関する情報として、Ｒ知覚輝度、Ｇ知覚輝度、及び、Ｂ知覚輝度の合計値が示されていてもよい。また、特性情報では、知覚色に関する情報として、知覚色の色度座標が示されていてもよい。
【００３２】
（ＳＴＥＰ３）
次に、ＢＬ制御値決定部１０４が、各発光部の発光輝度と発光色を決定する。具体的には、分割領域毎に、その分割領域に対応する発光部の発光輝度と発光色が決定される。本実施形態では、各発光部は、発光色が互いに異なる複数の光源を有する。具体的には、各発光部は、赤色の光を発するＲ光源、緑色の光を発するＧ光源、及び、青色の光を発するＢ光源、の３つの光源を有する。光源としては、ＬＥＤ、有機ＥＬ、冷陰極管などを用い
ることができる。そして、ＢＬ制御値決定部１０４は、各光源の発光輝度（光量）を決定する。具体的には、（Ｒ光源の発光輝度を表すＢＬ制御値，Ｇ光源の発光輝度を表すＢＬ制御値，Ｂ光源の発光輝度を表すＢＬ制御値）＝（ｂｄ＿ｒ，ｂｄ＿ｇ，ｂｄ＿ｂ）が決定される。
【００３３】
本実施形態では、ｍ行ｎ列目の分割領域に対応するＢＬ制御値（ｂｄ＿ｒ，ｂｄ＿ｇ，ｂｄ＿ｂ）を「ＢＬ制御値（ｂｄｍｎ＿ｒ，ｂｄｍｎ＿ｇ，ｂｄｍｎ＿ｂ）」と記載する。また、ｍ行ｎ列目の分割領域に対応する発光部（Ｒ光源、Ｇ光源、及び、Ｂ光源）のみをＢＬ制御値（ｂｄｍｎ＿ｒ，ｂｄｍｎ＿ｇ，ｂｄｍｎ＿ｂ）で発光させたときの、当該発光部からの光のｍ行ｎ列目の分割領域での光値を「光値（ＢＤ＿ｒ＿ｍｎ，ＢＤ＿ｇ＿ｍｎ，ＢＤ＿ｂ＿ｍｎ）」と記載する。ＢＤ＿ｒ＿ｍｎは、ｍ行ｎ列目の分割領域での赤色に関する明るさ（例えば、バックライト１０８表面の明るさ）を示す。ＢＤ＿ｇ＿ｍｎは、ｍ行ｎ列目の分割領域での緑色に関する明るさを示す。ＢＤ＿ｂ＿ｍｎは、ｍ行ｎ列目の分割領域での青色に関する明るさを示す。
【００３４】
なお、各発光部が有する光源の数は３つに限らない。各発光部が有する光源の数は、１つであってもよいし、２つであってもよい。各発光部が有する光源の数は、３つより多くてもよい。各発光部の構成は、発光輝度と発光色を変更可能な構成であれば、どのような構成であってもよい。
なお、本実施形態では、ＢＬ制御値ｂｄｍｎ＿ｒ，ｂｄｍｎ＿ｇ，ｂｄｍｎ＿ｂは、０〜２５５の範囲の整数であるものとし、発光輝度が高いほど大きいものとするが、これに限らない。ＢＬ制御値ｂｄｍｎ＿ｒ，ｂｄｍｎ＿ｇ，ｂｄｍｎ＿ｂの取り得る値の範囲は、０〜２５５の範囲より広くても狭くてもよい。ＢＬ制御値ｂｄｍｎ＿ｒ，ｂｄｍｎ＿ｇ，ｂｄｍｎ＿ｂは発光輝度が高いほど小さくてもよい。
【００３５】
本実施形態では、拡散情報記憶部１０３に、拡散情報Ｆが予め記憶されている（第１記憶部）。拡散情報Ｆは、発光部から周囲の分割領域への光の拡散（漏れ）を表す情報である。例えば、拡散情報Ｆは、発光部からの光の各分割領域での明るさを表す情報である。本実施形態では、「発光部から周囲の分割領域への光の漏れ」を単に「光の漏れ」と記載する。本実施形態では、分割領域毎に、その分割領域に対応する拡散情報Ｆとして、当該分割領域に対応する発光部からの光の、各分割領域の位置での明るさを表すテーブルが用意されている。ｍ行ｎ列目の分割領域に対応する拡散情報をＦｍｎと記載する。また、拡散情報Ｆｍｎで表される明るさ（ｍ行ｎ列目の分割領域に対応する発光部からの光の、ｍ’行ｎ’列目の分割領域での明るさ）を、Ｆｍｎｍ’ｎ’と記載する。本実施形態では、明るさＦｍｎｍ’ｎ’は、ｍ＝ｍ’、ｎ＝ｎ’での明るさを１とする相対値である。即ち、明るさＦｍｎｍ’ｎ’は、ｍ行ｎ列目の分割領域に対応する発光部からの光がｍ’行ｎ’列目の分割領域に到達する割合（到達率）である。
【００３６】
図４に、０行０列目の分割領域に対応する発光部からの光の拡散を表す拡散情報Ｆ００の一例を示す。０行０列目の到達率Ｆ００００は１である。０行０列目の分割領域に対応する発光部からの光は０行０列目の分割領域から遠ざかるにつれ暗くなるため、０行０列目の分割領域から遠ざかるにつれ到達率Ｆ００ｍ’ｎ’は小さくなる。
【００３７】
なお、拡散情報Ｆは上記情報（テーブル）に限らない。拡散情報Ｆとして関数が用意されていてもよい。分割領域間で共通の拡散情報Ｆが用意されていてもよい。
なお、明るさＦｍｎｍ’ｎ’は相対値（到達率）でなくてもよい。明るさＦｍｎｍ’ｎ’は絶対値であってもよい。絶対値である明るさＦｍｎｍ’ｎ’から到達率を算出することができる。
【００３８】
ＢＬ制御値決定部１０４では、検出方向（視線方向検出部１０１で検出された視線方向
）と拡散情報に基づいて、各発光部の発光輝度と発光色が決定される。本実施形態では、視線方向の変化による知覚輝度と知覚色の変化、光の漏れによる知覚輝度の変化、及び、光の漏れと視線方向の変化との両方に起因した知覚色の変化、が抑制されるように、各発光部の発光輝度と発光色が決定される。具体的には、視線方向の変化による知覚輝度の変化が抑制されるように、検出方向に基づいて、各光源の発光輝度が個別に仮決定される（仮決定処理）。次に、光の漏れによる知覚輝度の変化と、光の漏れと視線方向の変化との両方に起因した知覚色の変化と、が抑制されるように、視線方向と拡散情報に基づいて、各光源の仮決定された発光輝度が補正される（第１補正処理）。そして、視線方向の変化による知覚色の変化が抑制されるように、検出方向に基づいて、各光源の第１補正処理後の発光輝度が補正される（第２補正処理）。本実施形態では、分割領域毎に、その分割領域に対して検出された視線方向（検出方向）を用いて、仮決定処理、第１補正処理、及び、第２補正処理が行われる。以下に、ＢＬ制御値決定部１０４の処理の一例を説明する。
【００３９】
（ＳＴＥＰ３−１）
まず、ＢＬ制御値決定部１０４は、分割領域毎に、入力画像データに基づいて、その分割領域が暗部領域であるか明部領域であるかを判定する。暗部領域は、暗部画像（入力画像データによって表された画像である入力画像の暗い部分）が表示される領域であり、明部領域は、明部画像（入力画像の明るい部分）が表示される領域である。本実施形態では、暗部領域と明部領域とで異なる処理が行われる。本実施形態では、暗部領域に対応する発光部を暗部発光部と記載し、明部領域に対応する発光部を明部発光部と記載する。
【００４０】
ＳＴＥＰ３−１（分割領域判定処理）のフローチャートを図５に示す。
まず、分割領域毎に、その分割領域における入力画像データの平均階調レベル（ＡＰＬ）が算出される（Ｓ１４０１）。即ち、分割領域毎に、入力画像データの各画素の値のうち、その分割領域内に位置する画素の値の平均値が算出される。本実施形態では、ｍ行ｎ列目の分割領域の平均階調レベルをＡＰＬｍｎと記載する。
次に、分割領域毎に、Ｓ１４０１で算出されたＡＰＬが閾値ＴＬより小さいか否かが判定される（Ｓ１４０２）。
ＡＰＬが閾値ＴＬ未満であると判定された分割領域に対してはＳ１４０３の処理が行われ、ＡＰＬが閾値ＴＬ以上であると判定された分割領域に対してはＳ１４０４の処理が行われる。
Ｓ１４０３では、処理対象の分割領域毎に、その分割領域が暗部領域であると判断され、当該分割領域の補正判定値ＢＨとして０が設定される。
Ｓ１４０４では、処理対象の分割領域毎に、その分割領域が明部領域であると判断され、当該分割領域の補正判定値ＢＨとして１が設定される。
本実施形態では、ｍ行ｎ列目の分割領域の補正判定値をＢＨｍｎと記載する。
なお、画像データの特徴量として、ＡＰＬ以外の値が使用されてもよい。例えば、分割領域における画像データの値の最大値、最小値、中間値、最頻値、等が使用されてもよい。分割領域における画像データの値のヒストグラムが使用されてもよい。
【００４１】
（ＳＴＥＰ３−２）
次に、ＢＬ制御値決定部１０４は、各光源の発光輝度を仮決定する（仮決定処理）。本実施形態では、検出方向から第１所定画像を見たときの知覚輝度が目標値に近づくように、各光源の発光輝度が仮決定される。目標値は、基準輝度で各光源を発光させた状態で正面方向から第１所定画像を見たときの知覚輝度である。暗部領域に対する処理では、第１所定画像として第３所定画像が使用され、明部領域に対する処理では、第１所定画像として第４所定画像が使用される。そのため、明部発光部が有する光源については、検出方向から第３所定画像を見たときの知覚輝度が第１目標値に近づくように、発光輝度が仮決定される。そして、暗部発光部が有する光源については、検出方向から第４所定画像を見たときの知覚輝度が第２目標値に近づくように、発光輝度が仮決定される。第１目標値は、
基準輝度で各光源を発光させた状態で正面方向から第３所定画像を見たときの知覚輝度であり、第２目標値は、基準輝度で各光源を発光させた状態で正面方向から第４所定画像を見たときの知覚輝度である。本実施形態では、第３所定画像が、画像データの取り得る値の最小値の画像であり、第４所定画像が、画像データの取り得る値の最大値の画像であるものとする。
【００４２】
なお、仮決定処理などにおいて、検出方向に対応する知覚特性（検出方向から画像を見たときの知覚輝度や知覚色）は、検出方向に基づいて判断することができる。本実施形態では、知覚特性判断部１０２で選択された特性情報から、検出方向に対応する知覚特性が判断されるものとする。また、正面方向に対応する知覚特性（正面方向から画像を見たときの知覚輝度や知覚色）は、θｔ＝θｖ＝０°の特性情報から判断することができる。但し、仮決定処理では、第３所定画像と第４所定画像に関する知覚輝度のみが判断できればよい。そのため、正面方向からそのような画像（第３所定画像と第４所定画像）を見たときの知覚輝度が、特性情報とは別に用意されていてもよい。
なお、本実施形態では、画像データの取り得る値（階調値）は、０〜２５５の範囲の整数であり、明るいほど大きいものとするが、これに限らない。画像データの取り得る値の範囲は、０〜２５５の範囲より広くても狭くてもよい。画像データの値は明るいほど小さくてもよい。
なお、第１所定画像（第３所定画像と第４所定画像）は、上述した画像に限らない。例えば、第３所定画像は、低階調側（画像データの値が低い側）の値の画像であればよく、画像データの取り得る値の最小値よりも高い値の画像であってもよい。第４所定画像は、高階調側（画像データの値が高い側）の値の画像であればよく、画像データの取り得る値の最大値よりも低い値の画像であってもよい。
【００４３】
ＳＴＥＰ３−２（仮決定処理）のフローチャートを図６に示す。
まず、分割領域毎に、ＳＴＥＰ３−１で決定された補正判定値ＢＨが０か１かが判定される（Ｓ１５０１）。
補正判定値ＢＨ＝０である分割領域（暗部領域）に対してはＳ１５０２の処理が行われ、補正判定値ＢＨ＝１である分割領域（明部領域）に対してはＳ１５０３の処理が行われる。
【００４４】
Ｓ１５０２では、暗部領域毎に、その暗部領域に対応する各光源（暗部発光部が有する各光源）の発光輝度が仮決定される。本実施形態では、検出方向に基づく比率（第１比率）を基準輝度に乗算した値が、各光源の発光輝度として仮決定される。基準輝度で各光源を発光させた状態に関して、正面方向から第１所定画像を見たときの知覚輝度をＢ１、検出方向から第１所定画像を見たときの知覚輝度をＢ２、とした場合に、第１比率は、Ｂ１÷Ｂ２である。
【００４５】
本実施形態では、以下の式１〜５を用いて暗部発光部が有する各光源の発光輝度が仮決定される。
Ｌ０＿０＝Ｌ０＿０＿ｒ＋Ｌ０＿０＿ｇ＋Ｌ０＿０＿ｂ  ・・・（式１）
ＬＣ０＿ｍｎ＝ＬＣ０＿ｒ＿ｍｎ＋ＬＣ０＿ｇ＿ｍｎ＋ＬＣ０＿ｂ＿ｍｎ
・・・（式２）
ｂｄ＿ｒ＿ｍｎ＝Ｂａｓｅｂｄ×（Ｌ０＿０÷ＬＣ０＿ｍｎ）  ・・・（式３）
ｂｄ＿ｇ＿ｍｎ＝Ｂａｓｅｂｄ×（Ｌ０＿０÷ＬＣ０＿ｍｎ）  ・・・（式４）
ｂｄ＿ｂ＿ｍｎ＝Ｂａｓｅｂｄ×（Ｌ０＿０÷ＬＣ０＿ｍｎ）  ・・・（式５）
【００４６】
「Ｂａｓｅｂｄ」は、基準輝度を表すＢＬ制御値である。
「Ｌ０＿０」は、基準輝度（ＢＬ制御値Ｂａｓｅｂｄ）で各光源を発光させた状態で正面方向（θｔ＝０°，θｖ＝０°の方向）から階調値０の画像（第３所定画像）を見たときの知覚輝度である。即ち、Ｌ０＿０は、第１目標値である。式１に示すように、知覚輝度Ｌ０＿０は、知覚輝度Ｌ０＿０＿ｒと知覚輝度Ｌ０＿０＿ｇと知覚輝度Ｌ０＿０＿ｂを足し合わせた値である。
知覚輝度Ｌ０＿０＿ｒは、基準輝度で各光源を発光させた状態で正面方向から第３所定画像を見たときの赤色の知覚輝度である。知覚輝度Ｌ０＿０＿ｒは、「基準輝度で各Ｒ光源のみを発光させた状態で正面方向から第３所定画像を見たときの知覚輝度」と言うこともできる。知覚輝度Ｌ０＿０＿ｇは、基準輝度で各光源を発光させた状態で正面方向から第３所定画像を見たときの緑色の知覚輝度である。知覚輝度Ｌ０＿０＿ｂは、基準輝度で各光源を発光させた状態で正面方向から第３所定画像を見たときの青色の知覚輝度である。
【００４７】
「ＬＣ０＿ｍｎ」は、基準輝度で各光源を発光させた状態で検出方向から第３所定画像を見たときの知覚輝度である。式２に示すように、知覚輝度ＬＣ０＿ｍｎは、知覚輝度ＬＣ０＿ｒ＿ｍｎと知覚輝度ＬＣ０＿ｇ＿ｍｎと知覚輝度ＬＣ０＿ｂ＿ｍｎを足し合わせた値である。
知覚輝度ＬＣ０＿ｒ＿ｍｎは、基準輝度で各光源を発光させた状態で検出方向から第３所定画像を見たときの赤色の知覚輝度である。知覚輝度ＬＣ０＿ｇ＿ｍｎは、基準輝度で各光源を発光させた状態で検出方向から第３所定画像を見たときの緑色の知覚輝度である。知覚輝度ＬＣ０＿ｂ＿ｍｎは、基準輝度で各光源を発光させた状態で検出方向から第３所定画像を見たときの青色の知覚輝度である。
知覚輝度ＬＣ０＿ｍｎ，ＬＣ０＿ｒ＿ｍｎ，ＬＣ０＿ｇ＿ｍｎ，ＬＣ０＿ｂ＿ｍｎは、ｍ行ｎ列目の暗部領域に表示された第３所定画像を見たときの知覚輝度である。
【００４８】
本実施形態では、式３〜５に示すように、知覚輝度ＬＣ０＿ｍｎに対する知覚輝度Ｌ０＿０の割合（第１比率）がＢＬ制御値Ｂａｓｅｂｄに乗算される。それにより、暗部発光部が有する３つの光源のＢＬ制御値（ｂｄ＿ｒ＿ｍｎ，ｂｄ＿ｇ＿ｍｎ，ｂｄ＿ｂ＿ｍｎ）が仮決定（仮算出）される。
【００４９】
Ｓ１５０３では、明部領域毎に、その明部領域に対応する各光源（明部発光部が有する各光源）の発光輝度が仮決定される。本実施形態では、以下の式６〜１０を用いて暗部発光部が有する各光源の発光輝度が仮決定される。
Ｌ２５５＿０＝Ｌ２５５＿０＿ｒ＋Ｌ２５５＿０＿ｇ＋Ｌ２５５＿０＿ｂ
・・・（式６）
ＬＣ２５５＿ｍｎ＝ＬＣ２５５＿ｒ＿ｍｎ
＋ＬＣ２５５＿ｇ＿ｍｎ＋ＬＣ２５５＿ｂ＿ｍｎ
・・・（式７）
ｂｄ＿ｒ＿ｍｎ＝Ｂａｓｅｂｄ×（Ｌ２５５＿０÷ＬＣ２５５＿ｍｎ）
・・・（式８）
ｂｄ＿ｇ＿ｍｎ＝Ｂａｓｅｂｄ×（Ｌ２５５＿０÷ＬＣ２５５＿ｍｎ）
・・・（式９）
ｂｄ＿ｂ＿ｍｎ＝Ｂａｓｅｂｄ×（Ｌ２５５＿０÷ＬＣ２５５＿ｍｎ）
・・・（式１０）
【００５０】
「Ｌ２５５＿０」は、基準輝度で各光源を発光させた状態で正面方向から階調値２５５の画像（第４所定画像）を見たときの知覚輝度である。即ち、Ｌ２５５＿０は、第２目標値である。式６に示すように、知覚輝度Ｌ２５５＿０は、知覚輝度Ｌ２５５＿０＿ｒと知
覚輝度Ｌ２５５＿０＿ｇと知覚輝度Ｌ２５５＿０＿ｂを足し合わせた値である。
知覚輝度Ｌ２５５＿０＿ｒは、基準輝度で各光源を発光させた状態で正面方向から第４所定画像を見たときの赤色の知覚輝度である。知覚輝度Ｌ２５５＿０＿ｇは、基準輝度で各光源を発光させた状態で正面方向から第４所定画像を見たときの緑色の知覚輝度である。知覚輝度Ｌ２５５＿０＿ｂは、基準輝度で各光源を発光させた状態で正面方向から第４所定画像を見たときの青色の知覚輝度である。
【００５１】
「ＬＣ２５５＿ｍｎ」は、基準輝度で各光源を発光させた状態で検出方向から第４所定画像を見たときの知覚輝度である。式７に示すように、知覚輝度ＬＣ２５５＿ｍｎは、知覚輝度ＬＣ２５５＿ｒ＿ｍｎと知覚輝度ＬＣ２５５＿ｇ＿ｍｎと知覚輝度ＬＣ２５５＿ｂ＿ｍｎを足し合わせた値である。
知覚輝度ＬＣ２５５＿ｒ＿ｍｎは、基準輝度で各光源を発光させた状態で検出方向から第４所定画像を見たときの赤色の知覚輝度である。知覚輝度ＬＣ２５５＿ｇ＿ｍｎは、基準輝度で各光源を発光させた状態で検出方向から第４所定画像を見たときの緑色の知覚輝度である。知覚輝度ＬＣ２５５＿ｂ＿ｍｎは、基準輝度で各光源を発光させた状態で検出方向から第４所定画像を見たときの青色の知覚輝度である。
知覚輝度ＬＣ２５５＿ｍｎ，ＬＣ２５５＿ｒ＿ｍｎ，ＬＣ２５５＿ｇ＿ｍｎ，ＬＣ２５５＿ｂ＿ｍｎは、ｍ行ｎ列目の明部領域に表示された第４所定画像を見たときの知覚輝度である。
【００５２】
本実施形態では、式８〜１０に示すように、知覚輝度ＬＣ２５５＿ｍｎに対する知覚輝度Ｌ２５５＿０の割合（第１比率）がＢＬ制御値Ｂａｓｅｂｄに乗算される。それにより、明部発光部が有する３つの光源のＢＬ制御値（ｂｄ＿ｒ＿ｍｎ，ｂｄ＿ｇ＿ｍｎ，ｂｄ＿ｂ＿ｍｎ）が仮決定される。
【００５３】
（ＳＴＥＰ３−３）
次に、ＢＬ制御値決定部１０４は、ＳＴＥＰ３−２で仮決定された発光輝度を補正する（第１補正処理）。本実施形態では、以下の処理が繰り返される。
（１）光源と分割領域の組み合わせ毎に第１補正明るさを算出する第１処理
（２）分割領域毎に第１合計値を算出する第２処理
（３）第１合計値と第２合計値の比率が第１輝度と第２輝度の比率に近づくように、各光源の仮決定された発光輝度を補正する第３処理
【００５４】
上記組み合わせに対応する第１補正明るさは、その組み合わせの光源から発せられた光の当該組み合わせの分割領域での明るさに、検出方向に基づく比率（第３比率）を乗算した補正明るさである。また、第１補正明るさは、組み合わせの光源を仮決定された発光輝度で発光させたときの補正明るさでもある。
ここで、組み合わせの光源の発光色を有する光を発する各光源を基準輝度で発光させた状態で検出方向から第２所定画像を見たときの知覚輝度がＢ５、基準輝度で各光源を発光させた状態で検出方向から第２所定画像を見たときの知覚輝度がＢ６であったとする。その場合、第３比率は、Ｂ５÷Ｂ６である。本実施形態では、第２所定画像として第４所定画像と同じ画像が使用される。そのため、知覚輝度Ｂ５として、知覚輝度ＬＣ２５５＿ｒ＿ｍｎ、知覚輝度ＬＣ２５５＿ｇ＿ｍｎ、または、知覚輝度ＬＣ２５５＿ｂ＿ｍｎが使用される。そして、知覚輝度Ｂ６として、ＬＣ２５５＿ｍｎが使用される。
なお、第２所定画像は、上述した画像に限らない。第２所定画像は、階調値が第４所定画像よりも大きい画像であってもよいし、階調値が第４所定画像よりも小さい画像であってもよい。
【００５５】
分割領域に対応する第１合計値と第２合計値は、各光源のその分割領域での補正明るさの合計値である。第１合計値は、補正明るさとして第１補正明るさを用いて得られる合計
値であり、第２合計値は、組み合わせの光源を基準輝度で発光させたときの補正明るさである第２補正明るさを用いて得られる合計値である。第１輝度は、基準輝度で各光源を発光させた状態で正面方向から第１所定画像を見たときの知覚輝度Ｂ１であり、第２輝度は、基準光量で各光源を発光させた状態で検出方向から第１所定画像を見たときの知覚輝度Ｂ２である。
【００５６】
（ＳＴＥＰ３−４）
次に、ＢＬ制御値決定部１０４は、ＳＴＥＰ３−２の処理（第１補正処理）後の発光輝度を補正する（第２補正処理）。本実施形態では、光源毎に、その光源の発光色について、検出方向から第１所定画像を見たときの知覚輝度が、基準輝度で各光源を発光させた状態で正面方向から第１所定画像を見たときの知覚輝度に近づくように、当該光源の発光輝度が補正される。具体的には、光源毎に、検出方向に基づく比率（第２比率）を第１補正処理後の発光輝度に乗算することにより、第１補正処理後の発光輝度が補正される。
ここで、第２補正処理の対象の光源である対象光源の発光色を有する光を発する各光源を基準輝度で発光させた状態に関して、正面方向から第１所定画像を見たときの知覚輝度がＢ３、検出方向から第１所定画像を見たときの知覚輝度がＢ４であったとする。その場合には、対象光源の第１補正処理後の発光輝度に乗算する第２比率は、（Ｂ３÷Ｂ１）÷（Ｂ４÷Ｂ２）である。
【００５７】
ＳＴＥＰ３−３（第１補正処理）とＳＴＥＰ３−４（第２補正処理）のフローチャートを図７に示す。
【００５８】
まず、光源と分割領域の組み合わせ毎に、第１補正明るさと第２補正明るさが算出される（Ｓ１６１１；第１処理）。本実施形態では、ｍ行ｎ列目の分割領域に対応するＲ光源と、ｍ’行ｎ’列目の分割領域と、の組み合わせに対応する第１補正明るさを「Ｋ＿ｒ＿ｍｎｍ’ｎ’」と記載する。ｍ行ｎ列目の分割領域に対応するＧ光源と、ｍ’行ｎ’列目の分割領域と、の組み合わせに対応する第１補正明るさを「Ｋ＿ｇ＿ｍｎｍ’ｎ’」と記載する。そして、ｍ行ｎ列目の分割領域に対応するＢ光源と、ｍ’行ｎ’列目の分割領域と、の組み合わせに対応する第１補正明るさを「Ｋ＿ｂ＿ｍｎｍ’ｎ’」と記載する。本実施形態では、以下の式１１〜１３を用いて、第１補正明るさＫ＿ｒ＿ｍｎｍ’ｎ’，Ｋ＿ｇ＿ｍｎｍ’ｎ’，Ｋ＿ｂ＿ｍｎｍ’ｎ’が算出される。そして、明るさＢＤ＿ｒ＿ｍｎ，ＢＤ＿ｇ＿ｍｎ，ＢＤ＿ｂ＿ｍｎの代わりにＢａｓｅｂｄを使用することにより、第２補正明るさも算出される。
Ｋ＿ｒ＿ｍｎｍ’ｎ’＝（ＬＣ２５５＿ｒ＿ｍｎ÷ＬＣ２５５＿ｍｎ）
×（Ｆｍｎｍ’ｎ’×ＢＤ＿ｒ＿ｍｎ）
・・・（式１１）
Ｋ＿ｇ＿ｍｎｍ’ｎ’＝（ＬＣ２５５＿ｇ＿ｍｎ÷ＬＣ２５５＿ｍｎ）
×（Ｆｍｎｍ’ｎ’×ＢＤ＿ｇ＿ｍｎ）
・・・（式１２）
Ｋ＿ｂ＿ｍｎｍ’ｎ’＝（ＬＣ２５５＿ｂ＿ｍｎ÷ＬＣ２５５＿ｍｎ）
×（Ｆｍｎｍ’ｎ’×ＢＤ＿ｂ＿ｍｎ）
・・・（式１３）
【００５９】
式１１〜１３の明るさＢＤ＿ｒ＿ｍｎ，ＢＤ＿ｇ＿ｍｎ，ＢＤ＿ｂ＿ｍｎは、ｍ行ｎ列目の分割領域に対応する各光源の発光輝度に基づいて判断される。例えば、ＢＬ制御値ｂｄ＿ｒ＿ｍｎと明るさＢＤ＿ｒ＿ｍｎの対応関係が予め用意されており、ＢＬ制御値ｂｄ＿ｒ＿ｍｎから明るさＢＤ＿ｒ＿ｍｎが算出される。明るさＢＤ＿ｇ＿ｍｎ，ＢＤ＿ｂ＿ｍｎも、同様の方法で算出できる。
なお、ＢＬ制御値ｂｄ＿ｒ＿ｍｎ，ｂｄ＿ｇ＿ｍｎ，ｂｄ＿ｂ＿ｍｎを、明るさＢＤ＿ｒ＿ｍｎ，ＢＤ＿ｇ＿ｍｎ，ＢＤ＿ｂ＿ｍｎとして用いてもよい。
【００６０】
式１１〜１３において、「ＬＣ２５５＿ｒ＿ｍｎ÷ＬＣ２５５＿ｍｎ」、「ＬＣ２５５＿ｇ＿ｍｎ÷ＬＣ２５５＿ｍｎ」、及び、「ＬＣ２５５＿ｂ＿ｍｎ÷ＬＣ２５５＿ｍｎ」は、いずれも上述した第３比率である。第３比率を使用することにより、補正明るさとして、光の漏れと視線方向の変化との両方に起因した知覚色の変化を考慮した値を得ることができる。その結果、光の漏れによる知覚輝度の変化だけでなく、光の漏れと視線方向の変化との両方に起因した知覚色の変化を抑制することができる。
【００６１】
そして、Ｓ１６１１において、２つの分割領域の組み合わせ毎に、一方の分割領域に対応する発光部からの光（Ｒ光源からの光、Ｇ光源からの光、及び、Ｂ光源からの光の合成光）の、他方の分割領域での明るさが算出される。本実施形態では、ｍ行ｎ列目の分割領域に対応する発光部から発せられた光の、ｍ’行ｎ’列目の分割領域での明るさを「Ｋｍｎｍ’ｎ’」と記載する。明るさＫｍｎｍ’ｎ’は、以下の式１４を用いて算出される。明るさＫｍｎｍ’ｎ’は、第１補正値を用いた場合と、第２補正値を用いた場合と、の両方の場合について算出される。本実施形態では、第１補正値を用いて算出された明るさＫｍｎｍ’ｎ’を「明るさＤＫｍｎｍ’ｎ’」と記載し、第２補正値を用いて算出された明るさＫｍｎｍ’ｎ’を「明るさＡＫｍｎｍ’ｎ’」と記載する。
Ｋｍｎｍ’ｎ’＝Ｋ＿ｒ＿ｍｎｍ’ｎ’
＋Ｋ＿ｇ＿ｍｎｍ’ｎ’＋Ｋ＿ｂ＿ｍｎｍ’ｎ’
・・・（式１４）
【００６２】
次に、分割領域毎に、各光源のその分割領域での補正明るさの合計値（第１合計値と第２合計値）が算出される（Ｓ１６１２；第２処理）。ｍ行ｎ列目の分割領域に対する合計値ＳＤｍｎは、以下の式１５を用いて算出される。本実施形態では、第１補正明るさを用いて算出された合計値ＳＤｍｎ（第１合計値）を、「第１合計値Ｄ＿ＳＤｍｎ」と記載し、第２補正明るさを用いて算出された合計値ＳＤｍｎ（第２合計値）を、「第２合計値Ａ＿ＳＤｍｎ」と記載する。
ＳＤｍｎ＝ΣＫｍ’ｎ’ｍｎ  ・・・（式１５）
なお、第２合計値は予め用意されていてもよい。
【００６３】
次に、分割領域毎に、輝度乖離率が算出される（Ｓ１６１３）。輝度乖離率は、仮決定された発光輝度で各光源を発光させたときの知覚輝度と目標値との間の乖離度合を表す。具体的には、分割領域毎に（Ｂ１÷Ｂ２）÷（Ｔ１÷Ｔ２）の値Ｊが輝度乖離率として算出される。Ｔ１は第１合計値、Ｔ２は第２合計値、Ｂ１は第１輝度、Ｂ２は第２輝度である。本実施形態では、ｍ行ｎ列目の分割領域の輝度乖離率を「Ｊｍｎ」と記載する。ｍ行ｎ列目の分割領域が暗部領域である場合、当該分割領域の輝度乖離率（暗部輝度乖離率）Ｊｍｎは以下の式１６を用いて算出される。ｍ行ｎ列目の分割領域が明部領域である場合、当該分割領域の輝度乖離率（明部輝度乖離率）Ｊｍｎは以下の式１７を用いて算出される。
Ｊｍｎ＝（Ｌ０＿０÷ＬＣ０＿ｍｎ）÷（Ｄ＿ＳＤｍｎ÷Ａ＿ＳＤｍｎ）
・・・（式１６）
Ｊｍｎ＝（Ｌ２５５＿０÷ＬＣ２５５＿ｍｎ）÷（Ｄ＿ＳＤｍｎ÷Ａ＿ＳＤｍｎ）
・・・（式１７）
【００６４】
そして、各分割領域の知覚輝度が目標値であるか否かが判定される（Ｓ１６１４）。本実施形態では、各暗部領域の輝度乖離率Ｊが閾値以上であり、且つ、各明部領域の輝度乖離率Ｊが閾値以下であるか否かが判定される。そして、輝度乖離率Ｊが閾値Ｔｊ以上である暗部領域、及び、輝度乖離率Ｊが閾値Ｔｊ以下である明部領域に対しては、知覚輝度が目標輝度であると判断される。また、輝度乖離率Ｊが閾値Ｔｊより小さい暗部領域、及び、輝度乖離率Ｊが閾値Ｔｊより大きい明部領域に対しては、知覚輝度が目標輝度でないと判断される。閾値Ｔｊは、例えば１である。具体的には、暗部領域毎に、輝度乖離率Ｊが閾値Ｔｊ以上か否かが判定され、明部領域毎に、輝度乖離率Ｊが閾値Ｔｊ以下か否かが判定される。輝度乖離率Ｊが閾値Ｔｊより小さいと判定された暗部領域と、輝度乖離率Ｊが閾値Ｔｊより大きいと判定された明部領域との少なくとも一方が存在する場合には、Ｓ１６１５に処理が進められる。
なお、閾値Ｔｊは１より大きくても小さくてもよい。暗部輝度乖離率と比較する閾値Ｔｊと、明部輝度乖離率と比較する閾値Ｔｊとは互いに異なっていてもよい。
【００６５】
Ｓ１６１５では、輝度乖離率Ｊが閾値Ｔｊより小さいと判定された暗部領域に対応する各光源の仮決定された発光輝度が更新される。また、輝度乖離率Ｊが閾値Ｔｊより大きいと判定された明部領域に対応する各光源の仮決定された発光輝度が更新される。そして、Ｓ１６１１に処理が戻される。具体的には、式１８，１９，２０に示すように、輝度乖離率Ｊが閾値Ｔｊより小さいと判定された暗部領域に対応する各光源の仮決定された発光輝度に輝度乖離率Ｊを乗算した値が、更新後の発光輝度として算出される。同様に、輝度乖離率Ｊが閾値Ｔｊより大きいと判定された明部領域に対応する各光源の仮決定された発光輝度に輝度乖離率Ｊを乗算した値が、更新後の発光輝度として算出される。Ｓ１６１５の処理が、上述した第３処理に相当する。
ｂｄ＿ｒ＿ｍｎ＝ｂｄ＿ｒ＿ｍｎ×Ｊｍｎ  ・・・（式１８）
ｂｄ＿ｇ＿ｍｎ＝ｂｄ＿ｇ＿ｍｎ×Ｊｍｎ  ・・・（式１９）
ｂｄ＿ｂ＿ｍｎ＝ｂｄ＿ｂ＿ｍｎ×Ｊｍｎ  ・・・（式２０）
【００６６】
各暗部領域の輝度乖離率Ｊが閾値Ｔｊ以上になり、且つ、各明部領域の輝度乖離率Ｊが閾値Ｔｊ以下になるまで、Ｓ１６１１〜Ｓ１６１５の処理（第１処理、第２処理、及び、第３処理）が繰り返される。各暗部領域の輝度乖離率Ｊが閾値Ｔｊ以上になり、且つ、各明部領域の輝度乖離率Ｊが閾値Ｔｊ以下になると、Ｓ１６１６に処理が進められる。
Ｓ１６１１〜Ｓ１６１５の処理が、第１補正処理に相当する。
なお、上述した第３比率は使用されなくてもよい。即ち、検出方向を考慮せずに、拡散情報に基づいて、各光源の仮決定された発光輝度が補正されてもよい。例えば、「Ｆｍｎｍ’ｎ’×ＢＤ＿ｒ＿ｍｎ」が第１補正明るさＫ＿ｒ＿ｍｎｍ’ｎ’として算出されてもよい。そのような場合であっても、光の漏れによる知覚輝度の変化を抑制することができる。
【００６７】
Ｓ１６１６では、分割領域毎に、視線方向の変化による知覚色の変化が抑制されるように、検出方向に基づいて、その分割領域に対応する各光源の第１補正処理後の発光輝度が補正される（第２補正処理）。
【００６８】
暗部領域に対応する各光源の第２補正処理後の発光輝度は、以下の式２１〜２３を用いて算出される。式２１〜２３において、右辺のバックライト制御値ｂｄ＿ｒ＿ｍｎ，ｂｄ＿ｇ＿ｍｎ，ｂｄ＿ｂ＿ｍｎは、第１補正処理後のＢＬ制御値であり、左辺のＢＬ制御値ｂｄ＿ｒ＿ｍｎ，ｂｄ＿ｇ＿ｍｎ，ｂｄ＿ｂ＿ｍｎは、第２補正処理後のＢＬ制御値であ
る。
ｂｄ＿ｒ＿ｍｎ＝ｂｄ＿ｒ＿ｍｎ×（Ｌ０＿０＿ｒ÷Ｌ０＿０）
÷（ＬＣ０＿ｒ＿ｍｎ÷ＬＣ０＿ｍｎ）
・・・（式２１）
ｂｄ＿ｇ＿ｍｎ＝ｂｄ＿ｇ＿ｍｎ×（Ｌ０＿０＿ｇ÷Ｌ０＿０）
÷（ＬＣ０＿ｇ＿ｍｎ÷ＬＣ０＿ｍｎ）
・・・（式２２）
ｂｄ＿ｂ＿ｍｎ＝ｂｄ＿ｂ＿ｍｎ×（Ｌ０＿０＿ｂ÷Ｌ０＿０）
÷（ＬＣ０＿ｂ＿ｍｎ÷ＬＣ０＿ｍｎ）
・・・（式２３）
【００６９】
明部領域に対応する各光源の第２補正処理後の発光輝度は、以下の式２４〜２６を用いて算出される。式２４〜２６において、右辺のＢＬ制御値ｂｄ＿ｒ＿ｍｎ，ｂｄ＿ｇ＿ｍｎ，ｂｄ＿ｂ＿ｍｎは、第１補正処理後のＢＬ制御値であり、左辺のＢＬ制御値ｂｄ＿ｒ＿ｍｎ，ｂｄ＿ｇ＿ｍｎ，ｂｄ＿ｂ＿ｍｎは、第２補正処理後のＢＬ制御値である。
ｂｄ＿ｒ＿ｍｎ＝ｂｄ＿ｒ＿ｍｎ×（Ｌ２５５＿０＿ｒ÷Ｌ２５５＿０）
÷（ＬＣ２５５＿ｒ＿ｍｎ÷ＬＣ２５５＿ｍｎ）
・・・（式２４）
ｂｄ＿ｇ＿ｍｎ＝ｂｄ＿ｇ＿ｍｎ×（Ｌ２５５＿０＿ｇ÷Ｌ２５５＿０）
÷（ＬＣ２５５＿ｇ＿ｍｎ÷ＬＣ２５５＿ｍｎ）
・・・（式２５）
ｂｄ＿ｂ＿ｍｎ＝ｂｄ＿ｂ＿ｍｎ×（Ｌ２５５＿０＿ｂ÷Ｌ２５５＿０）
÷（ＬＣ２５５＿ｂ＿ｍｎ÷ＬＣ２５５＿ｍｎ）
・・・（式２６）
【００７０】
次に、各発光部のＢＬ制御値（ｂｄ＿ｒ＿ｍｎ，ｂｄ＿ｇ＿ｍｎ，ｂｄ＿ｂ＿ｍｎ）と補正判定値ＢＨｍｎが、ＢＬ制御値決定部１０４から出力される（Ｓ１６１７）。各発光部のＢＬ制御値（ｂｄ＿ｒ＿ｍｎ，ｂｄ＿ｇ＿ｍｎ，ｂｄ＿ｂ＿ｍｎ）と補正判定値ＢＨｍｎは、補正パラメータ決定部１０５に出力される。各発光部のＢＬ制御値（ｂｄ＿ｒ＿ｍｎ，ｂｄ＿ｇ＿ｍｎ，ｂｄ＿ｂ＿ｍｎ）は、ＢＬ制御部１０７にも出力される。
【００７１】
このように、ユーザの視線方向を考慮することにより、視線方向の変化による知覚輝度と知覚色の変化を抑制することができる。そして、ユーザの視線方向と、光の漏れと、を考慮することにより、光の漏れによる知覚輝度の変化、及び、光の漏れと視線方向の変化との両方に起因した知覚色の変化を抑制することができる。その結果、従来よりも知覚輝度と知覚色の変化を高精度に抑制することができる。
【００７２】
なお、光の漏れは考慮されなくてもよい。そのような構成であっても、ユーザの視線方向を考慮することにより、視線方向の変化による知覚輝度と知覚色の変化を抑制することができ、従来よりも知覚輝度と知覚色の変化を高精度に抑制することができる。バックライト１０８の構成を工夫することにより、光の漏れを十分に低減することができる。光の漏れが少ない場合には、光の漏れを考慮しなくても、知覚輝度と知覚色の変化を非常に高い精度で抑制することができる。
なお、発光部の発光輝度と発光色の制御方法（決定方法）は上記方法に限らない。知覚輝度と知覚色の変化を抑制することができれば、どのような方法で発光輝度や発光色が制御されてもよい。ＢＬ制御値と発光輝度の対応関係が線形関係でない場合には、上記演算
とは異なる演算によって最終的なＢＬ制御値が算出されることは言うまでもない。
【００７３】
（ＳＴＥＰ４）
次に、補正パラメータ決定部１０５が、各分割領域の補正パラメータ（例えばガンマ値）を決定する。本実施形態では、分割領域毎に、補正パラメータを用いて、画像データの値が補正される。それにより、入力画像データから表示用画像データが生成される。補正パラメータは、視線方向の変化による知覚輝度と知覚色の変化を抑制するパラメータであり、補正パラメータを用いて、視線方向の変化による知覚輝度と知覚色の変化がさらに抑制されるように入力画像データが補正される。例えば、画像データの値はＲＧＢ値（Ｒ値、Ｇ値、及び、Ｂ値の組み合わせ）である。Ｒ値は赤色の輝度を示す階調値であり、Ｇ値は緑色の輝度を示す階調値であり、Ｂ値は青色の輝度を示す階調値である。そして、補正パラメータ決定部１０５では、補正パラメータとして、Ｒ値を補正するＲ補正パラメータ、Ｇ値を補正するＧ補正パラメータ、及び、Ｂ値を補正するＢ補正パラメータが決定される。
【００７４】
ＳＴＥＰ４（補正パラメータ決定処理）のフローチャートを図８に示す。
まず、分割領域毎に、補正判定値ＢＨが０か１かが判定される（Ｓ１７０１）。
補正判定値ＢＨ＝０である分割領域（暗部領域）に対してはＳ１７０２の処理が行われ、補正判定値ＢＨ＝１である分割領域（明部領域）に対してはＳ１７０３の処理が行われる。
【００７５】
液晶パネル１０９の視野角特性は、ユーザの視線方向の変化によって、以下の３つの知覚輝度の範囲が変化する特性である。ここで、知覚輝度が目標輝度であると判断することのできる視線方向の角度の範囲は、視野角とも呼ばれる。
・入力画像データの取り得るＲ値の範囲に対応するＲ知覚輝度の範囲
・入力画像データの取り得るＧ値の範囲に対応するＧ知覚輝度の範囲
・入力画像データの取り得るＢ値の範囲に対応するＢ知覚輝度の範囲
【００７６】
Ｓ１７０２とＳ１７０３では、検出方向と、ＢＬ制御値決定部１０４で決定された各光源の発光輝度と、に基づいて、補正パラメータが生成される。Ｓ１７０２では、黒値（Ｒ値＝Ｇ値＝Ｂ値＝０）を基準として、低階調側での知覚輝度と知覚色の変化を抑制する補正パラメータが生成される。Ｓ１７０３では、白値（Ｒ値＝Ｇ値＝Ｂ値＝２５５）を基準として、高階調側での知覚輝度の変化を抑制する補正パラメータが生成される。
【００７７】
本実施形態では、以下のように、Ｒ補正パラメータ、Ｇ補正パラメータ、及び、Ｂ補正パラメータが生成される。
決定された発光輝度で各光源を発光させた状態で検出方向から画面を見たときのＲ知覚輝度の範囲において、Ｒ知覚輝度を、基準輝度で各光源を発光させた状態で正面方向から画面を見たときのＲ知覚輝度に近づけるＲ補正パラメータが生成される。
決定された発光輝度で各光源を発光させた状態で検出方向から画面を見たときのＧ知覚輝度の範囲において、Ｇ知覚輝度を、基準輝度で各光源を発光させた状態で正面方向から画面を見たときのＧ知覚輝度に近づけるＧ補正パラメータが生成される。
決定された発光輝度で各光源を発光させた状態で検出方向から画面を見たときのＢ知覚輝度の範囲において、Ｂ知覚輝度を、基準輝度で各光源を発光させた状態で正面方向から画面を見たときのＢ知覚輝度に近づけるＢ補正パラメータが生成される。
【００７８】
次に、各分割領域の補正パラメータが画像処理部１０６に出力される（Ｓ１７０４）。
【００７９】
Ｓ１７０２の処理について図９（ａ）〜９（ｆ）を用いて説明する。図９（ａ）〜９（ｆ）は、入力画像データの取り得る階調値と知覚輝度との対応関係の一例を示す図である
。図９（ａ）〜９（ｆ）では、単位が「％」である階調値が示されている。即ち、図９（ａ）〜９（ｆ）では、階調値として、入力画像データの取り得る階調値の最大値に対する階調値の割合が示されている。
【００８０】
まず、Ｒ補正パラメータの生成方法について図９（ａ），９（ｄ）を用いて説明する。図９（ａ），９（ｄ）は、入力画像データの取り得るＲ値とＲ知覚輝度との対応関係の一例を示す図である。
図９（ａ），９（ｄ）において、特性曲線２６０３は、視線方向の変化によるＲ知覚輝度の変化が生じていない場合の対応関係を示す。具体的には、特性曲線２６０３は、基準輝度で各光源を点灯させた状態で画面を正面から見た場合の対応関係を示す。特性曲線２６０１は、視線方向の変化によるＲ知覚輝度の変化が生じている場合の対応関係を示す。具体的には、特性曲線２６０１は、発光輝度の制御、及び、入力画像データの補正のいずれも行わない場合の対応関係であって、画面を斜め方向から見た場合の対応関係を示す。
【００８１】
本実施形態では、発光輝度の制御を行うことにより、特性曲線２６０１が特性曲線２６０２に補正される。それにより、低階調側でのＲ知覚輝度の変化を低減することができる。
そして、Ｓ１７０２では、特性曲線２６０２を特性曲線２６１０に変換するＲ補正パラメータが生成される。このようなＲ補正パラメータを用いることにより、視線方向の変化によるＲ知覚輝度の変化を画像処理で抑制する際のコントラストの低下を抑制することができる。具体的には、図９（ｄ）から、低階調側において、特性曲線２６１０が特性曲線２６０３と一致していることがわかる。そのため、階調性の低下を高階調側のみに制限することができ、低階調側での階調性の低下を抑制することができる。そして、視線方向の変化によるＲ知覚輝度の変化を画像処理で抑制する際の、暗い画像のコントラストの低下を抑制ことができる。
なお、図９（ｄ）の例では、低階調側において特性曲線２６１０が特性曲線２６０３と一致しているが、それらは完全に一致していなくてもよい。特性曲線２６１０と特性曲線２６０３の差が、特性曲線２６０２と特性曲線２６０３の差よりも小さければよい。
【００８２】
次に、Ｇ補正パラメータの生成方法について図９（ｂ），９（ｅ）を用いて説明する。図９（ｂ），９（ｅ）は、入力画像データの取り得るＧ値とＧ知覚輝度との対応関係の一例を示す図である。
図９（ｂ），９（ｅ）において、特性曲線２６０６は、視線方向の変化によるＧ知覚輝度の変化が生じていない場合の対応関係を示す。具体的には、特性曲線２６０６は、基準輝度で各光源を点灯させた状態で画面を正面から見た場合の対応関係を示す。特性曲線２６０４は、視線方向の変化によるＧ知覚輝度の変化が生じている場合の対応関係を示す。具体的には、特性曲線２６０４は、発光輝度の制御、及び、入力画像データの補正のいずれも行わない場合の対応関係であって、画面を斜め方向から見た場合の対応関係を示す。
【００８３】
本実施形態では、発光輝度の制御を行うことにより、特性曲線２６０４が特性曲線２６０５に補正される。それにより、低階調側でのＧ知覚輝度の変化を低減することができる。
そして、Ｓ１７０２では、特性曲線２６０５を特性曲線２６１１に変換するＧ補正パラメータが生成される。このようなＧ補正パラメータを用いることにより、視線方向の変化によるＧ知覚輝度の変化を画像処理で抑制する際のコントラストの低下を抑制することができる。具体的には、図９（ｅ）から、低階調側において、特性曲線２６１１が特性曲線２６０６と一致していることがわかる。そのため、階調性の低下を高階調側のみに制限することができ、低階調側での階調性の低下を抑制することができる。そして、視線方向の変化によるＧ知覚輝度の変化を画像処理で抑制する際の、暗い画像のコントラストの低下を抑制ことができる。
なお、図９（ｅ）の例では、低階調側において特性曲線２６１１が特性曲線２６０６と一致しているが、それらは完全に一致していなくてもよい。特性曲線２６１１と特性曲線２６０６の差が、特性曲線２６０５と特性曲線２６０６の差よりも小さければよい。
【００８４】
次に、Ｂ補正パラメータの生成方法について図９（ｃ），９（ｆ）を用いて説明する。図９（ｃ），９（ｆ）は、入力画像データの取り得るＢ値とＢ知覚輝度との対応関係の一例を示す図である。
図９（ｃ），９（ｆ）において、特性曲線２６０９は、視線方向の変化によるＢ知覚輝度の変化が生じていない場合の対応関係を示す。具体的には、特性曲線２６０９は、基準輝度で各光源を点灯させた状態で画面を正面から見た場合の対応関係を示す。特性曲線２６０７は、視線方向の変化によるＢ知覚輝度の変化が生じている場合の対応関係を示す。具体的には、特性曲線２６０７は、発光輝度の制御、及び、入力画像データの補正のいずれも行わない場合の対応関係であって、画面を斜め方向から見た場合の対応関係を示す。
【００８５】
本実施形態では、発光輝度の制御を行うことにより、特性曲線２６０７が特性曲線２６０８に補正される。それにより、低階調側でのＢ知覚輝度の変化を低減することができる。
そして、Ｓ１７０２では、特性曲線２６０８を特性曲線２６１２に変換するＢ補正パラメータが生成される。このようなＢ補正パラメータを用いることにより、視線方向の変化によるＢ知覚輝度の変化を画像処理で抑制する際のコントラストの低下を抑制することができる。具体的には、図９（ｆ）から、低階調側において、特性曲線２６１２が特性曲線２６０９と一致していることがわかる。そのため、階調性の低下を高階調側のみに制限することができ、低階調側での階調性の低下を抑制することができる。そして、視線方向の変化によるＢ知覚輝度の変化を画像処理で抑制する際の、暗い画像のコントラストの低下を抑制ことができる。
なお、図９（ｆ）の例では、低階調側において特性曲線２６１２が特性曲線２６０９と一致しているが、それらは完全に一致していなくてもよい。特性曲線２６１２と特性曲線２６０９の差が、特性曲線２６０８と特性曲線２６０９の差よりも小さければよい。
【００８６】
Ｓ１７０３の処理について図１０（ａ）〜１０（ｆ）を用いて説明する。図１０（ａ）〜１０（ｆ）は、入力画像データの取り得る階調値と知覚輝度との対応関係の一例を示す図である。図１０（ａ）〜１０（ｆ）では、単位が「％」である階調値が示されている。即ち、図１０（ａ）〜１０（ｆ）では、階調値として、入力画像データの取り得る階調値の最大値に対する階調値の割合が示されている。
【００８７】
まず、Ｒ補正パラメータの生成方法について図１０（ａ），１０（ｄ）を用いて説明する。図１０（ａ），１０（ｄ）は、入力画像データの取り得るＲ値とＲ知覚輝度との対応関係の一例を示す図である。
図１０（ａ），１０（ｄ）において、特性曲線２６２３は、視線方向の変化によるＲ知覚輝度の変化が生じていない場合の対応関係を示す。具体的には、特性曲線２６２３は、基準輝度で各光源を点灯させた状態で画面を正面から見た場合の対応関係を示す。特性曲線２６２１は、視線方向の変化によるＲ知覚輝度の変化が生じている場合の対応関係を示す。具体的には、特性曲線２６２１は、発光輝度の制御、及び、入力画像データの補正のいずれも行わない場合の対応関係であって、画面を斜め方向から見た場合の対応関係を示す。
【００８８】
本実施形態では、発光輝度の制御を行うことにより、特性曲線２６２１が特性曲線２６２２に補正される。それにより、高階調側でのＲ知覚輝度の変化を低減することができる。
そして、Ｓ１７０３では、特性曲線２６２２を特性曲線２６３０に変換するＲ補正パラ
メータが生成される。このようなＲ補正パラメータを用いることにより、視線方向の変化によるＲ知覚輝度の変化を画像処理で抑制する際のコントラストの低下を抑制することができる。具体的には、図１０（ｄ）から、高階調側において、特性曲線２６３０が特性曲線２６２３と一致していることがわかる。そのため、階調性の低下を低階調側のみに制限することができ、高階調側での階調性の低下を抑制することができる。そして、視線方向の変化によるＲ知覚輝度の変化を画像処理で抑制する際の、明るい画像のコントラストの低下を抑制ことができる。
なお、図１０（ｄ）の例では、高階調側において特性曲線２６３０が特性曲線２６２３と一致しているが、それらは完全に一致していなくてもよい。特性曲線２６３０と特性曲線２６２３の差が、特性曲線２６２２と特性曲線２６２３の差よりも小さければよい。
【００８９】
次に、Ｇ補正パラメータの生成方法について図１０（ｂ），１０（ｅ）を用いて説明する。図１０（ｂ），１０（ｅ）は、入力画像データの取り得るＧ値とＧ知覚輝度との対応関係の一例を示す図である。
図１０（ｂ），１０（ｅ）において、特性曲線２６２６は、視線方向の変化によるＧ知覚輝度の変化が生じていない場合の対応関係を示す。具体的には、特性曲線２６２６は、基準輝度で各光源を点灯させた状態で画面を正面から見た場合の対応関係を示す。特性曲線２６２４は、視線方向の変化によるＧ知覚輝度の変化が生じている場合の対応関係を示す。具体的には、特性曲線２６２４は、発光輝度の制御、及び、入力画像データの補正のいずれも行わない場合の対応関係であって、画面を斜め方向から見た場合の対応関係を示す。
【００９０】
本実施形態では、発光輝度の制御を行うことにより、特性曲線２６２４が特性曲線２６２５に補正される。それにより、高階調側でのＧ知覚輝度の変化を低減することができる。
そして、Ｓ１７０３では、特性曲線２６２５を特性曲線２６３１に変換するＧ補正パラメータが生成される。このようなＧ補正パラメータを用いることにより、視線方向の変化によるＧ知覚輝度の変化を画像処理で抑制する際のコントラストの低下を抑制することができる。具体的には、図１０（ｅ）から、高階調側において、特性曲線２６３１が特性曲線２６２６と一致していることがわかる。そのため、階調性の低下を低階調側のみに制限することができ、高階調側での階調性の低下を抑制することができる。そして、視線方向の変化によるＧ知覚輝度の変化を画像処理で抑制する際の、明るい画像のコントラストの低下を抑制ことができる。
なお、図１０（ｅ）の例では、高階調側において特性曲線２６３１が特性曲線２６２６と一致しているが、それらは完全に一致していなくてもよい。特性曲線２６３１と特性曲線２６２６の差が、特性曲線２６２５と特性曲線２６２６の差よりも小さければよい。
【００９１】
次に、Ｂ補正パラメータの生成方法について図１０（ｃ），１０（ｆ）を用いて説明する。図１０（ｃ），１０（ｆ）は、入力画像データの取り得るＢ値とＢ知覚輝度との対応関係の一例を示す図である。
図１０（ｃ），１０（ｆ）において、特性曲線２６２９は、視線方向の変化によるＢ知覚輝度の変化が生じていない場合の対応関係を示す。具体的には、特性曲線２６２９は、基準輝度で各光源を点灯させた状態で画面を正面から見た場合の対応関係を示す。特性曲線２６２７は、視線方向の変化によるＢ知覚輝度の変化が生じている場合の対応関係を示す。具体的には、特性曲線２６２７は、発光輝度の制御、及び、入力画像データの補正のいずれも行わない場合の対応関係であって、画面を斜め方向から見た場合の対応関係を示す。
【００９２】
本実施形態では、発光輝度の制御を行うことにより、特性曲線２６２７が特性曲線２６２８に補正される。それにより、高階調側でのＢ知覚輝度の変化を低減することができる
。
そして、Ｓ１７０３では、特性曲線２６２８を特性曲線２６３２に変換するＢ補正パラメータが生成される。このようなＢ補正パラメータを用いることにより、視線方向の変化によるＢ知覚輝度の変化を画像処理で抑制する際のコントラストの低下を抑制することができる。具体的には、図１０（ｆ）から、高階調側において、特性曲線２６３２が特性曲線２６２９と一致していることがわかる。そのため、階調性の低下を低階調側のみに制限することができ、高階調側での階調性の低下を抑制することができる。そして、視線方向の変化によるＢ知覚輝度の変化を画像処理で抑制する際の、明るい画像のコントラストの低下を抑制ことができる。
なお、図１０（ｆ）の例では、高階調側において特性曲線２６３２が特性曲線２６２９と一致しているが、それらは完全に一致していなくてもよい。特性曲線２６３２と特性曲線２６２９の差が、特性曲線２６２８と特性曲線２６２９の差よりも小さければよい。
【００９３】
このように、本実施形態では、高階調側と低階調側のどちらか一方での階調性の低減が抑制される。それにより、両方の階調性が大きく低減する場合に比べ、コントラストの低下を抑制することができる。
【００９４】
（ＳＴＥＰ５）
次に、画像処理部１０６が、補正パラメータ決定部１０５で決定された補正パラメータを用いて入力画像データを補正することにより、表示用画像データを生成する。例えば、分割領域毎に、補正パラメータ（ガンマ値）を用いたガンマ変換処理が行われる。具体的には、分割領域毎に、Ｒ補正パラメータを用いてＲ値を変換するガンマ変化処理、Ｇ補正パラメータを用いてＧ値を変換するガンマ変化処理、及び、Ｂ補正パラメータを用いてＢ値を変換するガンマ変化処理が行われる。
【００９５】
（ＳＴＥＰ６）
次に、ＢＬ制御部１０７が、ＢＬ制御値に応じた電流ＩＤをバックライト１０８に供給する。具体的には、ＢＬ制御値ｂｄ＿ｒ＿ｍｎに応じた電流ＩＤ＿ｒ＿ｍｎが、ｍ行ｎ列目の分割領域に対応するＲ光源に供給される。同様に、ＢＬ制御値ｂｄ＿ｇ＿ｍｎに応じた電流ＩＤ＿ｇ＿ｍｎが、ｍ行ｎ列目の分割領域に対応するＧ光源に供給され、ＢＬ制御値ｂｄ＿ｂ＿ｍｎに応じた電流ＩＤ＿ｂ＿ｍｎが、ｍ行ｎ列目の分割領域に対応するＢ光源に供給される。バックライト１０８の各光源は、供給された電流ＩＤに応じた発光輝度で発光する。即ち、各光源は、決定された発光輝度で発光する。本実施形態では、以下の式２７〜２９を用いて、電流ＩＤ＿ｒ＿ｍｎ，ＩＤ＿ｇ＿ｍｎ，ＩＤ＿ｂ＿ｍｎが算出される。式２７において、ｂｄ＿ｒ＿ｍａｘはＢＬ制御値ｂｄ＿ｒの取り得る値の最大値であり、Ｉ＿ｒ＿ｍａｘはＢＬ制御値ｂｄ＿ｒ＿ｍａｘに応じた電流である。式２８において、ｂｄ＿ｇ＿ｍａｘはＢＬ制御値ｂｄ＿ｇの取り得る値の最大値であり、Ｉ＿ｇ＿ｍａｘはＢＬ制御値ｂｄ＿ｇ＿ｍａｘに応じた電流である。そして、式２９において、ｂｄ＿ｂ＿ｍａｘはＢＬ制御値ｂｄ＿ｂの取り得る値の最大値であり、Ｉ＿ｂ＿ｍａｘはＢＬ制御値ｂｄ＿ｂ＿ｍａｘに応じた電流である。
ＩＤ＿ｒ＿ｍｎ＝ｂｄ＿ｒ＿ｍｎ÷ｂｄ＿ｒ＿ｍａｘ×Ｉ＿ｒ＿ｍａｘ
・・・（式２７）
ＩＤ＿ｇ＿ｍｎ＝ｂｄ＿ｇ＿ｍｎ÷ｂｄ＿ｇ＿ｍａｘ×Ｉ＿ｇ＿ｍａｘ
・・・（式２８）
ＩＤ＿ｂ＿ｍｎ＝ｂｄ＿ｂ＿ｍｎ÷ｂｄ＿ｂ＿ｍａｘ×Ｉ＿ｂ＿ｍａｘ
・・・（式２９）
【００９６】
（ＳＴＥＰ７）
次に、液晶パネル１０９が、表示用画像データに応じた透過率でバックライト１０８からの光を透過する。それにより、表示用画像データに基づく画像が画面に表示される。
【００９７】
以上述べたように、本実施形態によれば、検出方向に基づいて、発光部の発光輝度だけでなく、発光部の発光色も制御される。それにより、表示画像のコントラストの低下を抑制しながら、視線方向の変化による知覚輝度の変化を高精度に抑制できるだけでなく、視線方向の変化による知覚色の変化も高精度に抑制できる。
【００９８】
なお、本実施形態では分割領域毎に視線方向を検出する例を説明したが、画面全体（例えば画面の中心位置）に対する１つの視線方向が検出されてもよい。但し、分割領域毎に視線方向を検出すれば、１つの視線方向を検出するよりも高精度に各発光部の発光輝度と発光色を決定することができる。また、画素毎に視線方向を検出し、画素毎に補正パラメータを決定してもよい。そのような構成によれば、分割領域毎の補正パラメータを用いた画像処理よりも高精度な画像処理（知覚輝度と知覚色の変化をより抑制することのできる画像処理）が可能となる。
なお、本実施形態では、暗部領域と明部領域とで異なる処理（発光部の制御、画像処理、等）を行う例を説明したが、これに限らない。例えば、全ての分割領域に対して、暗部領域に対する上記処理と同じ処理が行われてもよい。全ての分割領域に対して、明部領域に対する上記処理と同じ処理が行われてもよい。それらの構成であっても、高階調側と低階調側のどちらか一方での階調性の低減を抑制することができ、両方の階調性が大きく低減する場合に比べ、コントラストの低下を抑制することができる。
【００９９】
＜その他の実施形態＞
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【０１００】
１０１：視線方向検出部  １０４：ＢＬ制御値決定部  １０７：ＢＬ制御部
１０８：バックライト  １０９：液晶パネル
【図１】
2016130804.tif 000003
【図２】
2016130804.tif 000004
【図３】
2016130804.tif 000005
【図４】
2016130804.tif 000006
【図５】
2016130804.tif 000007
【図６】
2016130804.tif 000008
【図７】
2016130804.tif 000009
【図８】
2016130804.tif 000010
【図９】
2016130804.tif 000011
【図１０】
2016130804.tif 000012
【図１１】
2016130804.tif 000013
【図１２】
2016130804.tif 000014